(57)【要約】  【課題】  本発明では、保温性を確保できることは勿論、衣服内に着用したとき外見から認識されることや着用ずれが生じることがなく、しかも容易に着脱することができる肩パッドの提供を目的とする。  【解決手段】  首部に対して外周側部位に着用して左右両肩部を保温する肩パッド１０，１１であって、上記左右両肩部に当接させる一対の肩パッド本体部１４を具備し、上記一対の肩パッド本体部１４どうしを、胸部側において連結する胸当て部１５を具備するとともに、背部側において連結する背当て部１６を具備して一体に形成し、上記胸当て部１５、或いは上記背当て部１６を、左右相互に分離可能な一対の布片状に形成するとともに、当該布片状に形成した胸当て部１５、或いは背当て部１６に、左右相互に連結可能な固定手段２０ａ，２０ｂを具備した肩パッド１０，１１。  【選択図】    図１
2006214020.tif 000002
【特許請求の範囲】
【請求項１】
首部に対する外周側部位に着用して左右両肩部を保温する肩パッドであって、
上記左右両肩部に当接させる一対の肩パッド本体部を具備し、
上記一対の肩パッド本体部どうしを、胸部側において連結する胸当て部を具備するとともに、背部側において連結する背当て部を具備して一体に形成し、
上記胸当て部、或いは上記背当て部を、左右相互に分離可能な一対の布片状に形成するとともに、当該布片状に形成した胸当て部、或いは背当て部に、左右相互に連結可能な固定手段を具備した
肩パッド。
【請求項２】
前記肩パッド本体部を、熱を付与した状態で圧縮成形して、肩形状に対応する椀状に形成した
請求項１に記載の肩パッド。
【請求項３】
前記肩パッド本体部の表面を、縫着部の存在しない平面状に形成した
請求項２に記載の肩パッド。
【請求項４】
前記一対の肩パッド本体部、前記一対の肩パッド本体部内に具備されたパッド部材、前記胸当て部、及び、前記背当て部における少なくとも１つを、発熱性素材により形成した
請求項１から請求項３のいずれか一項に記載の肩パッド。
【請求項５】
前記肩パッド本体部における肩部への当接面と反対面側に、下着の肩紐に取り付け可能な取付け手段を形成した
請求項１から請求項４のいずれか一項に記載の肩パッド。
【請求項６】
前記固定手段を、一対の面ファスナにより形成した
請求項１から請求項５のいずれか一項に記載の肩パッド。
【発明の詳細な説明】
【技術分野】
【０００１】
この発明は、保温効果をはじめとする様々な効果を得るために肩部に着用して用いる肩パッドに関する。
【背景技術】
【０００２】
最近、例えば、着用ずれが生じないもの、或いは、保温性を向上させたものなど様々な機能、形態を有する着用式の肩パッドに関する文献が開示されている。
【０００３】
例えば、下記特許文献１に係る着用式肩パッドは、背当て布を介して一体化された左右一対の肩パッドを具備し、さらに、背当て布の左右端部から胸部周りに配される接続紐を具備して形成している。
【０００４】
上記接続紐は、左右相互の連結を分離可能に形成するとともに、肩パッドから胸部側へ延びた紐を一体に接続し、腕を挿通可能とする空間を形成している。
【０００５】
上記着用式肩パッドは、接続紐が構成する空間に腕を挿通し、接続紐を脇の下に配した状態で着用することができるため、着用ずれが生じることがなく着用することができる。
【０００６】
しかし、脇の下に配した接続紐の存在により着用時に不快感を与えることや、発汗しやすい脇の下に接続紐を配した場合、衛生的でない。また、上記着用式肩パッドの着脱の度に上記腕を挿通可能とする空間に対して腕を挿脱しなければならず面倒であるという問題も有する。
【０００７】
これに対して、保温効果を得るために着用する下記特許文献２に係る保温アンダーケープと称される他の肩パッドが開示されている。
【０００８】
上記保温アンダーケープは、一対の略半円形布と、首周りを覆う首バンドを具備して形成される。
【０００９】
上記一対の略半円形布における一方の略半円形布は、背部に当接する背当て部と、該背当て部から片状に突き出した肩掛け部とを具備して形成される。  
上記一対の略半円形布における他方の略半円形布は、胸部に当接する胸当て部を具備して形成される。
【００１０】
上記保温アンダーケープは、上記肩掛け部を半円筒状に湾曲させて肩に掛けた状態で上記一対の略半円形布を首部の外周側部位に覆った後、首バンドを首部に襟状に覆い係合することによりしっかりと取り付けることができる。
【００１１】
しかし、上記保温アンダーケープは、外出時に衣服の下に着用した場合、肩掛け部などが嵩張るため、見た目上、違和感が生じる。或いは、外出時に衣服の上に着用した場合は、ファッション性に欠けるという問題も有する。このため、上記アンダーケープの使用用途は、通常、室内に限定されるという問題を有する。
【００１２】
また、その他にも下記特許文献３に係る肩パッドが開示されている。  
上記肩パッドは、左右の肩部に当接可能な一対の略半円形部材により形成している。取り付けは、女性用下着の肩紐にベルト部材により係合して該ベルト部材を留め具により固定して取り付ける。
【００１３】
しかし、上記肩パッドは、下着の肩紐に取り付けなければ適切に取り付けることができないため、その使用は、女性に限定される。さらに、着脱の度にいちいち上述したように下着の肩紐に係合、分離する必要が生じるため、取り付けに手間を要するといった問題も有する。
【００１４】
【特許文献１】実開平０１−１２５３２３号公報
【特許文献２】特開平０７−２１６６０６号公報
【特許文献３】特開２００１−１７２８１２号公報
【発明の開示】
【発明が解決しようとする課題】
【００１５】
そこで本発明では、保温性を確保できることは勿論、衣服内に着用したとき外見から認識されることや、着用ずれが生じることがなく、しかも容易に着脱することができる肩パッドの提供を目的とする。
【課題を解決するための手段】
【００１６】
本発明に係る肩パッドは、首部に対して外周側部位に着用して左右両肩部を保温する肩パッドであって、上記左右両肩部に当接させる一対の肩パッド本体部を具備し、上記一対の肩パッド本体部どうしを、胸部側において連結する胸当て部を具備するとともに、背部側において連結する背当て部を具備して一体に形成し、上記胸当て部、或いは上記背当て部を、左右相互に分離可能な一対の布片状に形成するとともに、当該布片状に形成した胸当て部、或いは背当て部に、左右相互に連結可能な固定手段を具備したことを特徴とする。
【００１７】
上記肩パッド本体部は、熱を付与した状態で圧縮成形して、肩形状に対応する椀状に形成することが好ましい。
【００１８】
また、上記肩パッドは、上記肩パッド本体部の表面を、縫着部の存在しない平面状に形成したことを特徴とする。
【００１９】
また、上記肩パッドは、綿などの天然繊維、或いは合成繊維などで形成してもよいが、好ましくは、上記一対の肩パッド本体部、上記一対の肩パッド本体部内に具備されたパッド部材、上記胸当て部、及び、上記背当て部における少なくとも１つを、発熱性素材により形成することが好ましい。
【００２０】
上記発熱性素材としては、例えば、汗などの水分の吸湿により発熱する素材を含有した吸湿発熱繊維、或いは、赤外線を吸収し、熱に変えて放出する素材を含有した遠赤外線繊維などを用いることができる。
【００２１】
その他、上記発熱性素材は、上記吸湿発熱繊維、或いは、上記遠赤外線繊維などに対して例えば、備長炭を細かく砕いた粉末を含有させてマイナスイオンを発生させる作用を付加するなど１つの形態に限定しない。
【００２２】
さらに、上記肩パッド本体部における肩部への当接面側と反対面側に、下着の肩紐に取り付け可能な取付け手段を補助的に形成することが好ましい。
【００２３】
また、上記固定手段は、例えば、スナップ、スライドファスナ、ホックなどで形成することができるが、好ましくは、一対の面ファスナにより形成するとよい。
【発明の効果】
【００２４】
請求項１に係る発明によれば、肩パッドを上記形態により形成することで、肩部周辺に限らず、首部に対する外周部位全体を保温することができる。
【００２５】
しかも、例えば、従来の肩パッドのように、腕に対して係合する係合用紐を脇の下に配することなくしっかりと人に対して着用できる。このため、肩パッドの着脱は、例えば、いちいち係合用紐を脇の下に配するため、腕の挿通用の空間に腕を挿脱しなくても、上記固定手段を固定、或いは分離するだけで容易に行える。しかも、着用時において、脇下に係合用紐などが存在しない。このため、不快感を伴わず、汗でべたつかないため衛生的である。
【００２６】
また、請求項２に係る発明によれば、肩パッド本体部は、熱を付与した状態で圧縮成形する。これにより、肩パッド本体部は、たとえ意図的に形状を変形させても自発的に元の形状に復元し、型崩れすることがない。
【００２７】
特に、請求項３に係る発明によれば、肩部本体部における全面に、縫着部を形成することがなく、滑らかな椀状をした平面状に形成することができる。よって、より肩部に密着するため、さらにしっかりと着用できる。  
さらに、着用時に、ごわごわ感を感じず、肩が凝ることもなく、着用していることを感じさせない快適な状態で着用することができる  
つまり、肩パッド本体部を上述したように一体成形により形成すれば、裏面布側上に縫着部などで屈曲した部位や段部などが生じることもなく、滑らかな椀状に形成することができる。
【００２８】
加えて、例えば、上記肩パッドを着用し、さらに、該肩パッドの上から衣服を着用しても、縫着部による凹凸が衣服の上に現れることもないため、外見上、第３者に衣服の下に肩パッドを着用していることが認識されず、見栄えよく着用できる。  
請求項４に係る発明によれば、パッド部材を発熱性素材により形成することにより、肩部本体部は、さらに積極的に保温効果を得ることができる。
【００２９】
しかも、例えば、パッド部材を綿などで形成する場合と比較して、保温性を維持した状態のまま肩部本体部の厚みを薄く形成することができるため、着用時に該肩本体部が嵩張ることもない。さらに、肩パッド全体を軽量化することもでき、肩が凝ることもない。
【００３０】
請求項５に係る発明によれば、肩パッドは、取付け手段を肩紐に取り付けた状態で着用することができるため、よりしっかりと一対の面ファスナどうしを取り付けることができる。このため、例えば、着用時にたとえ、腕を略真上にあげたりしても不用意に肩パッドが取り外れることがない。
【００３１】
請求項６に係る発明によれば、前記一対の面ファスナどうしを面接触状態させるだけで係合できるため、容易に固定、或いは分離することができる。しかも、一対の面ファスナを面接触状態とすれば、さらに強固に固定することができる。
【発明を実施するための最良の形態】
【００３２】
この発明の一実施形態を、以下図面を用いて説明する。  
【実施例１】
【００３３】
図１は、実施例１における肩パッド１０の外観図を示し、環状に連結した状態を示す。上記肩パッド１０は、人の首部に対する外周側部位、すなわち、肩部、上胸部、及び、上背部にかけて着用することができる。
【００３４】
上記図１に示したように、上記肩パッド１０は、着用したとき表面側、及び、裏面側にそれぞれ位置する表面布１２、及び、裏面布１３を重合して形成するとともに、その外周縁部に縁取り加工を施すことにより一体に形成している。また、上記表面布１２、及び、上記裏面布１３は、発熱性素材を用いてメッシュ地により形成している。
【００３５】
さらに、上記肩パッド１０は、左右両側の肩部に当接する部位に一対の肩パッド本体部１４を形成している。ここで、上記左右一対の肩パッド本体部１４間に位置し、着用時に胸部に当接する部位を胸当て部１５に設定し、背部に当接する部位を背当て部１６に設定する。
【００３６】
また、上記表面布１２、及び上記裏面布１３における上記肩パッド本体部１４の外周部に相当する部位を縫着し、肩パッド本体部１４における上記表面布１２、及び上記裏面布１３の間には、パッド部材１７として発熱性繊維を封入している。
【００３７】
上記発熱性繊維にとして、汗などの水分を吸収すると発熱する性質を有する吸湿発熱繊維１８ａを用い、該吸湿発熱繊維１８ａは、ウールの約３倍程度の熱（吸着熱）を発熱する。
【００３８】
さらに、上記肩パッド本体部１４は、肩形状に対応する椀状に形成している。  
このような、上記肩パッド本体部１４を椀状に加工する方法は、表面布１２、及び、裏面布１３の間に吸湿発熱繊維１８ａを封入した状態のまま、肩パッド本体部１４に相当する部位に熱を付与した状態で、該肩パッド本体部１４に相当する部位を圧縮成形することにより行う。  
これにより、図２に示したように、肩パッド本体部１４は、表面布１２、及び、裏面布１３における表面に縫着部などの段部が存在しない状態で肩形状に対応する椀状に成形することができる。
【００３９】
また、胸当て部１５、及び、背当て部１６についても、上述したように発熱性素材を用いて形成し、特に、胸当て部１５は、左右各肩部から上胸部を覆うことが可能な幅を備えて形成している。このため、上胸部、及び、上背部についても保温性を保つことができる。しかも、胸当て部１５、及び、背当て部１６は、上述したようにメッシュ地により形成しているため、上胸部、及び、上背部において、ある程度の通気性も確保することができる。
【００４０】
また、図３に示したように、胸当て部１５は、その中間部において左右各側に片状に分離可能に形成している。さらに、分離した布片状の各部位１５ａ，１５ｂにおける先端部どうしが互いに重合する部位に、相互に連結可能に一対の面ファスナ２０ａ，２０ｂを縫着している。
【００４１】
本実施例における肩パッド１０は、上述したように形成するものとし、図示しないが以下、上記肩パッド１０の着用手順について説明する。  
肩パッド１０を図３にように展開した状態から着用する場合、まず、上記肩パッド１０を着用する人Ａ（以下、着用者Ａという）は、上記胸当て部１５における一対の布片状の各部位１５ａ，１５ｂを左右各側の指で抓み、肩パッド１０を上背部に掛ける。
【００４２】
このとき、左右各側の肩パッド本体部１４を該左右各側の肩パッド本体部１４に対応する肩部に順に嵌め込まれるよう、上記左右各側の指で抓んだ胸当て部１５における上記一対の布片の各部位１５ａ，１５ｂを首部の前側において互いに連結すべく、引き寄せる。
【００４３】
そして、上記胸当て部１５における上記一対の布片状の各部位１５ａ，１５ｂが重合したとき、上記一対の面ファスナ２０ａ，２０ｂどうしが係合される。  
これにより、肩パッド１０は、首部に対して外周側部位において連結した状態となる。
【００４４】
以上により、図４、図５に示したように、肩パッド１０を着用者Ａに着用することができ、上記肩パッド１０は、以下のような様々な効果を奏することができる。
【００４５】
上記肩パッドは、１０分程度着用するだけで、着用者Aにおける着用部位、及び、その周辺を、目安として1度から３度程、他の部位と比較して温めることができる。
【００４６】
また、肩パッド本体部１４は、上述したように上記表面布１２、及び上記裏面布１３の間に上記吸湿発熱繊維１８ａを封入し、一体にした状態で熱を付与して形成しているため、上記吸湿発熱繊維１８ａだけでなく、肩パッド本体部１４における上記表面布１２、及び上記裏面布１３も含めて肩形状に対応する椀状に成形することができる。
【００４７】
つまり、肩パッド本体部１４を一体成形により形成すれば、裏面布１３側上に縫着部などで屈曲した部位や段部などが生じることもなく、滑らかな椀状に形成することができる。
【００４８】
このように、本実施形態の肩パッド本体部１４における表面布１２、及び、裏面布１３には、全く縫着部、段部、或いは、連結部などが存在せず、上記図４、図５に示したように、ぴたりと肩に嵌めこまれた状態で着用できる。  
このため、例えば、上記肩パッド１０を着用し、さらに、該肩パッド１０の上から衣服を着用しても、縫着部による凹凸が衣服の上に現れることもなく、外見上、衣服の下に肩パッド１０を着用していることが分からない。  
さらに、着ぶくれすることや肩幅が広く見えることもないため、特に女性が安心して着用することができる。  
加えて、着用時に肩部に密着するため、ごわごわ感などを感じることがなく従来の肩パッドのように肩こりの原因にもならない。
【００４９】
勿論、表面布１２、及び、裏面布１３は、発熱性素材によるメッシュ地で形成しているため、上述したように通気性や保温性の他に伸縮性も有する。このため、首部に対する外周側部位に肌着のように密着した状態で取り付けることができる。
【００５０】
すなわち、肩パッド１０の着用時において肩パッド１１全体が様々な着用者Ａの肩形状の違いに関わらず、肩部に対して、密着するため、着用ずれが生じることがなく快適な心地を維持することができる。
【００５１】
具体的には、肩パッド１０の着用時において着用者Ａが、腕をある程度、あげても、肩パッド本体部１４が肩部に当接する側へ作用する引張力により、肩パッド本体部１４は肩部に密着し、しかも、肩パッド本体部１４は、該腕を挙げたときにおける肩形状に対応する形状に湾曲し、しかも、肩に当接する側に引っ張り力により密接するため、例えば、腕を脇に配した紐などを着用者Ａの腕に係合して着用しなくても、肩パッド１０をしっかりと着用することができる。
【００５２】
このため、着用者Ａは、肩パッド１０を着用していることを意識することなしに快適に着用することができる。しかも、脇の下に紐などを配することもないため、肩パッド１０が汗などでべたつくことがなく衛生的に保つことができる。加えて、着脱の度に腕を挿脱する必要もないため、着用者Ａは、容易に肩パッド１０の着脱を行うことができる。
【００５３】
また、上記パッド部材１７に発熱性素材１８を用いているため、発熱性を有していない天然繊維、人造繊維、或いは合成繊維を用いた場合と比較して、より積極的に肩部を保温できる。しかも、天然繊維などと同程度の保温性を確保しようとしても、パッド部材１７に発熱性素材１８を用いて形成した肩パッド本体部１４の厚みの方がより薄い状態に保つことができるため、見た目にも優れた肩パッド１０を形成することができる。
【００５４】
また、肩パッド１０を、例えば、図２に示したような平面視略Ｕ字形に展開状態にしたとき、上記椀状に成形していた肩パッド本体部１４は、ある程度、平面状に変形するが、再度、肩パッド１０を上記図１に示したように環状になるよう連結すれば、上記肩パッド本体部１４は、自身の弾性復元力により復元して元の椀状を維持することができる。  
このように、本実施形態の肩パッド１０（特に肩パッド本体部１４）は、繰り返し使用しても型崩れすることがない。
【００５５】
勿論、肩パッド本体部１４は、上記構成、或いは形成方法に限定しない。  
例えば、肩パッド本体部１４の他の形成方法として、まず、上記表面布１２、及び上記裏面布１３間に封入する前の上記吸湿発熱繊維１８ａに対してのみ、熱を付与した状態で圧縮成形して椀状に変形させておき、該椀状に成形した吸湿発熱繊維１８ａを、上記表面布１２、及び上記裏面布１３間に封入して肩パッド本体部１４を形成してもよい。
【００５６】
上記発熱性素材１８としては、上記吸湿発熱繊維１８ａに限定せず、他の発熱性素材を用いてもよい。
【００５７】
具体的に、発熱性素材１８に遠赤外線放射繊維を用いた場合、遠赤外線放射繊維として例えば、珪酸ジルコニウム系セラミックス、アルミナ、シリカ、窒化ケイソ、ジルコニアなどのセラミックスを原料として含有した繊維を用いることができる。さらに、遠赤外線放射繊維として、例えば、上記セラミックスを繊維外層部に練り込んだものを用いることができる。
【００５８】
勿論、上記肩パッドは、上述したように全体を発熱性素材を用いて形成すれば、保温性を向上させることができる点で好ましいが、パッド部材１７は、上述した発熱性素材１８に限定せず、例えば、綿、ウール、或いは、フエルトなど天然繊維、人造繊維、又は合成繊維などと組み合わせて形成してもよい。
【００５９】
このような天然繊維、人造繊維、或いは合成繊維は、それ自体、ある程度の保温性を有することから有効であり、コストの低減を図ることができる。
【００６０】
また、肩パッドは、表面布１２、及び、裏面布１３における、いずれか一方のみを発熱性素材により形成してもよい。または、肩パッド本体部１４、胸当て部１５、及び、背当て部１６における少なくとも１つを発熱性素材により形成してもよい。さらには、肩パッド本体部１４におけるパッド部材１７のみを発熱性素材により形成してもよい。
【実施例２】
【００６１】
実施例２に係る肩パッド１１として、肩パッド本体部１４には、下着の肩紐Ｂに取り付けた状態で着用できる取付け部を具備することもできる。
【００６２】
具体的に上記取付け部の形態は、図６に示したように、左右各側の肩パッド本体部１４における表面布１２において、着用時に下着の肩紐Ｂが配される着用者Ａの肩上部に対応する部位に対する縁部側部位に、上記肩紐Ｂに係合するための帯状をした係合用布２２を縫着する。
【００６３】
さらに詳しくは、上記縁部側部位には、上記係合用布２２の長さ方向における一端側を縫着し、該係合用布２２の長さ方向における他端部側を片状に自由端としておく。
【００６４】
さらに、上記係合用布２２は、該係合用布２２における他端部側を一端側へ折り返したときの重合部位における各側には、各端部どうしを連結する手段として一対のスナップ２３のそれぞれ２３ａ，２３ｂを固着している。
【００６５】
上記形態により、図７に示したように上記係合用布２２は、肩部に配した状態の肩紐Ｂに対して略交差させるとともに、肩部と肩紐Ｂとの間に配した後、折り返し、上記一対のスナップ２３を係合する。これにより、環状となった係合用布２２に上記肩紐Ｂが挿通された状態で肩パッド１１を下着に取り付けることができる。
【００６６】
また、上記肩パッド１１には、上述したような取付け部を形成しなくても、実施例１に示したように着用者Ａに対してしっかりと着用することができるが、上記取付け部を付加することにより、さらにしっかりと着用することができる。
【００６７】
上述したように、取付け部を補助的に用いることにより、例えば、着用者Ａが腕を略真上に挙げた場合であっても、上記肩パッド１１が不用意に外れることを確実に防止することができ、着用ずれが生じることもない。  
なお、上記係合用布２２は、帯状の布であり、該係合用布２２の固定手段として、小さなスナップ２３を用いているため、着用した時に肩パッド本体部１４が嵩張ることもない。
【００６８】
また、取付け部は、上述したように、肩パッド本体部１４における表面布１２側に取り付ければ、肩紐Bが肩パッド１０，１１を押えつけた状態で取り付けることができるため、着用ずれが生じることがなくしっかりと着用できる。しかも、表面布１２側に取付け部を形成することで取付け部の着脱を容易に行うことができる。
【００６９】
逆に、上記取付け部は、裏面布１３に対して取り付けても構わない。この形態の場合、外観上、肩形状に対応する椀状の形態を損なうことがなく、優れた肩のラインを保つことができるという効果を有する。
【００７０】
勿論、上記係合用布２２における固定手段も、上記スナップ２３に限定せず、面ファスナ、ホック等、他の固定手段を用いて形成してもよい。例えば、面ファスナを用いた場合、面接触させて係合できるため、容易に着脱することができる。
【００７１】
また、上述の実施形態と、この発明の構成との対応において、この実施形態の吸湿発熱繊維１８ａは、この発明の発熱性繊維に対応し、以下、同様に
係合用布２２、及び、スナップ２３は、取付け手段に対応するも、この発明は、上述の実施形態の構成のみに限定されるものではなく、多くの実施の形態を得ることができる。
【図面の簡単な説明】
【００７２】
【図１】実施例１に係る環状にした肩パッドの外観図。
【図２】実施例１に係る肩パッド本体部を表面側から視た平面図（ａ）、図２（ａ）におけるＡ−Ａ断面図（ｂ）。
【図３】実施例１に係る肩パッドを展開した状態の平面図。
【図４】実施例１に係る肩パッドを着用した様子を示す正面図。
【図５】実施例１に係る肩パッドを着用した様子を示す背面図。
【図６】実施例２に係る肩パッド本体部を表面側から視た平面図（ａ）、図６（ａ）におけるＡ−Ａ断面図（ｂ）。
【図７】実施例２に係る肩パッドを着用した様子を示す外観図。
【符号の説明】
【００７３】
１０，１１…肩パッド
１２…表面布
１３…裏面布
１４…肩パッド本体部
１５…胸当て部
１５ａ，１５ｂ…一対の布片状の各部位
１６…背当て部
１７…パッド部材
１８ａ…吸湿発熱繊維
２０…一対の面ファスナ
２２…係合用布
２３…一対のスナップ
【図１】
2006214020.tif 000003
【図２】
2006214020.tif 000004
【図３】
2006214020.tif 000005
【図４】
2006214020.tif 000006
【図５】
2006214020.tif 000007
【図６】
2006214020.tif 000008
【図７】
2006214020.tif 000009